(57)【要約】      （修正有）【課題】  瓶、缶類の容器を開封した後、内容物が残っている状態で容器が転倒した時その内容物が外に漏れるのを防ぐ。【解決手段】  容器の蓋に逆止弁付き空気孔と、ストロー挿入穴およびストロー収納穴とを設けた。吸うのを止めると容器側に位置する空気孔の底部に取り付けた弁が閉じ、再度、吸うと弁が開く仕組みになっている。そのために、吸うのを止めると容器内に、押す側の空気が、入らないため、容器が転倒してもストローの吸口から液漏れはしないため、容器を水平にして寝た状態で、ストローの吸口から内容物が飲める。【選択図】  図６
2006225028.tif 000002
【特許請求の範囲】
【請求項１】
既存の蓋付き容器と蜜に接合する容器接合部４と、この容器接合部４以外の部分に空気孔１、該空気孔１を開閉する弁５、及びストロー挿入穴２とストロー収納穴とを３、を有する容器の蓋。
【請求項２】
請求項１の蓋に、容器接合部４に接合される容器を一体として、成型した容器。
【請求項３】
請求項１の蓋に図９に示すような排出空気孔１３と、排出弁１２を設けた蓋。
【発明の詳細な説明】
【発明の詳細な説明】
【技術分野】
【０００１】  本発明は一般に市販されている瓶、缶類の容器が開封され、中身がある状態で転倒した時その容器の内容物が外に漏れるのを防止する事に関する。
【背景技術】
【０００２】  市販の瓶、缶類の容器を開封した後、内容物が残っている状態で、容器が転倒した時、その内容物が外に漏れるのを防ぐ物がなかった。【０００３】  これまで病院などで、寝たきりのお年寄りや子供に、お茶を飲ませるのにらくのみを使っていたが、握力がないため容器を落し、布団の上にこぼすので困っていた。
【発明が解決しょうとする課題】
【０００４】  以上述べたように、開封した後に内容物が残っている状態で、容器が転倒しても、内容物がすぐに流出しない事を目的とし病人、子供など握力がない人が容器を落しても液漏れがなく、起き上がらなくても、寝た状態で容器内の内容物が飲めるようにする事を課題とした。
【発明が解決しょうとする手段】
【０００５】  本発明は上記目的を達成するために容器の蓋に図１に示す空気孔１、とストロー挿入穴２を設け、この該ストロー挿入穴２に挿入されたストローから容器内の液体を吸い出すときには開き、吸い出しを止めると閉じる弾体性で出来た弁５、を設けた。それと共に、より確実に上記目的を達成するためにストローの蓋として作用するストロー収納穴３、を設けた。
【発明実施の形態】
【０００６】  以下は発明の形態を図２から図９に基づいて説明する。
【０００７】  本発明の請求項１の実施例を、図２から図６に、基いて説明する。図２は本発明の液漏れ防止蓋を市販のペットボトル７に装着した図で、この図において、ストロー挿入穴２に市販のストロー８を差込んで、このストロー８から中の液体９を吸い出すと、容器内の圧力が下がり弁５が、空気孔１を開く方向に開き液体を吸い出している間、弁５は開き続ける。この間、空気孔１から容器外の空気が入り連続して液体が吸い出される。
【０００８】  一旦、吸い出しを止めると、弾性体で作られている図２の弁５は、空気孔を塞ぐ。この状態において容器が転倒したときの図が図５である
【０００９】  図５において弁５は空気孔１を、閉じたままであるため、転倒したこの状態でも容器内の液体９がストロー吸口８Ａから出ることがない。
【００１０】  さらに、本発明はストロー収納穴３を設け、この収納穴３にストロー吸口８Ａが差込めるようにしている。
図３のようにストロー収納穴３に、ストロー吸口８Ａが差込まれている状態で容器１１、が転倒しても収納穴３がストロー８の蓋の役目をするため容器内の液体の流出防止を碓実におこなう。
【００１１】  図６は市販のペットボトルの蓋をはずし、本発明の液漏れ防止蓋を取り付けた斜視図である。本図を使い補足的な説明をすると、２はストロー挿入穴でこのストロー挿入穴２は、図３に示すように、挿入穴出口２Ｂがストロー入口より少し狭くなるように作り、ストロー挿入穴の壁と、ストローの外壁との隙間の機密が取れるようにしている。７はペットボトル、８はストローでストロー８はペットボトルの底近くに挿入されており、ストロー８はストロー収納穴３にそのストロー吸口８Ａを曲げて差込む、このストロー収納穴３は入口では少し広く底部が狭く作ってありストローの先端が穴の外壁に密着し、容器の栓の役目をする構造になっている。
又、ストロー外縁３Ａを容器の開口部外縁より出っ張る構造とした。
【００１２】  図７は缶等の容器に本発明の蓋を適用した実施例で、容器接合部４を缶容器開口部１０Ａを覆うように、本発明の容器接合部４を缶外周に密着させ実施した例である。
【００１３】    図８は請求項２、の実施例で容器と図１の機能を一体成形した図である。
【００１４】  請求項３、の実施例を図９を用いて説明する。図９は図２の本発明の蓋に排出空気孔１３と排出弁１２を設け、容器内の空気が膨張したとき、あるいは落下、などの外圧がかかったときストロー吸口８Ａ、から溢れないようにしたものである。
【発明の効果】
【００１５】  本発明の蓋を使用することにより、容器内の液体を吸い出すときには図１の弁５が開き無理なく容器内の液体が取り出せ、中の液体の取り出しを止めたときは、弁５は閉じ、中に液体が残っている状態で容器が、図５のように転倒しても、容器内の液体は、図５のストロー吸口８Ａのから外に漏れると
【００１６】  これまで病院などお年寄りや寝たきりの人にお茶を飲ませるのに、らくのみを、使っていたが、飲める病人でも看護人が飲ませに行かなければ、お茶を布団の上にこぼすので困っていた。本発明を使う事で寝たままでも飲め、握力の弱い人が容器を落としても、漏れる事が無いため飲み物を枕もと置くことができる。又、身障者や幼児も容器を落しても、こぼれる事がないので安心して持たせる事ができる。
【００１７】  又、この発明品は市販のペットボトルの蓋と、取り替えるだけで使用できストローも簡単に差し替えられる。
【００１８】  図３のストロー収納穴３を設けることによりストロー８を差込んだ状態でストロー８Ａをこのストロー収納穴３に曲げて差込み、この事により液体の漏れを防ぐ栓の役目を果たす。又、ストローの先が固定されるので持ち運びにも便利である。
【００１９】  図４においてストロー収納外縁３Ａをダルマ状に突出させた構造によりその突出した部分に指をかけて廻すと、非力な人でも容易の蓋を開け閉めできる。
【００２０】  図８は請求項２の容器で成型を一体にすることにより、従来の容器の形にとらわれることなく、自由な形のものが提供できると共に製造工程の簡略や省資源化に資する。
【００２１】  また、図２の容器で、撓む性質の容器を使えば、習字のとき硯に適量な水を落すことができる。又、卵焼きなどフライパンに油を落すときにこぼすことなく必要な量を落とす事もできる。
【００２２】  図９に代表される請求項３の蓋を使うことにより外気温の変化あるいは容器が、落下したとき外圧を受けて容器内の空気が膨張したとき排出弁１２が開き排出空気孔１から圧力が逃げストロー吸口８Ａから容器内の液体がもれない。
【図面の簡単な説明】
【００２３】
【図１】液もれ防止蓋断面図
【図２】実施例断面図
【図３】液もれ防止蓋断面実施例
【図４】液もれ防止蓋上面図
【図５】実施例図２の転倒断面図
【図６】容器に液もれ防止蓋を実施した斜視図
【図７】本発明請求項１の蓋を市販の缶容器に使用した実施例の缶容器透視図
【図８】容器一体成型斜視図
【図９】請求項３の実施例断面図
【符号の説明】
１、    空気孔
２、    ストロー挿入穴
２Ａ，  ストロー挿入穴入口
２Ｂ、  ストロー挿入出口
３、    ストロー収納穴
３Ａ、  ストロー収納口外縁
３Ｂ、  ストロー収納入口
４、    容器接合部
５、    弁
６、    液もれ防止蓋
７、    ペットボトル
８、    ストロー
８Ａ、  ストロー吸口
９、    液体
１０、  缶容器、
１０Ａ、缶容器開口部
１１、  容器
１２、  排出弁
１３、  排出空気孔
【図１】
2006225028.tif 000003
【図２】
2006225028.tif 000004
【図３】
2006225028.tif 000005
【図４】
2006225028.tif 000006
【図５】
2006225028.tif 000007
【図６】
2006225028.tif 000008
【図７】
2006225028.tif 000009
【図８】
2006225028.tif 000010
【図９】
2006225028.tif 000011